(57)【要約】【課題】  排水栓装置に対する毛髪等の引っ掛かりを防ぐとともに、清掃性を向上させた装置の提供を課題とする。【解決手段】排水口３の開閉を行う弁蓋７を有する弁体６と、弁体６の操作を行う操作部２０と、一端が操作部２０に、他端が排水口３近傍の配管４に接続され、操作部２０に加えられた排水口３側へ操作を伝達する伝達部２５と、から成る排水栓装置であって、弁体６は、弁蓋７を上昇及び／又は下降させる機構部８を内部に備え、伝達部２５は排水口３側端部において作動部２８を備えている。作動部２８は、操作部２０の操作によって変位するとともに、当該変位に基づいて機構部８を作動させる。又、作動部２８は戻りスプリング２４の作用によって、操作部２０への操作が終了する都度横管部５内に収納される。【選択図】図１
2017227093.tif 000002
【特許請求の範囲】
【請求項１】
排水口の開閉を行う弁蓋を有する弁体と、
弁体の操作を行う操作部と、
一端が操作部に、他端が排水口近傍の配管に接続され、操作部に加えられた排水口側へ操作を伝達する伝達部と、から成る排水栓装置であって、
弁体は、弁蓋を上昇及び／又は下降させる機構部を内部に備え、
伝達部は排水口側端部において作動部を備え、
作動部は、操作部の操作によって変位するとともに、当該変位に基づいて機構部を作動させることを特徴とする排水栓装置。
【請求項２】
機構部は、弁蓋の上昇状態又は下降状態を保持するロック機構を有することを特徴とする請求項１に記載の排水栓装置。
【請求項３】
弁体は配管内の所定箇所に載置されるとともに、
弾性体によって弁蓋が上昇状態となるよう常に上方へ向けて付勢されており、
作動部の変位に伴い機構部が押し下げられることを特徴とする請求項１又は請求項２に記載に排水栓装置。
【請求項４】
機構部は、
作動部の変位に伴い回動するギア部と、
ギア部の回動に伴い上方に向けて突出する突出部から成ることを特徴とする請求項１又は請求項２に記載の排水栓装置。
【請求項５】
上記弁体は配管内の所定箇所に載置されるとともに、
機構部の作動により弁体の全高を変動させることによって弁蓋が上昇及び／又は下降することを特徴とする請求項１乃至請求項４のいずれか１つに記載の排水栓装置。
【請求項６】
上記弁体は、弁蓋の裏面に取り付けられる弁軸を有すると共に、
該弁軸は配管内に配置されてなり、上記機構部は、作動により弁軸を伸縮させることを特徴とする請求項１乃至請求項５のいずれか１つに記載の排水栓装置。
【請求項７】
作動部は、弁蓋を上昇及び／又は下降させた後、
元の状態に復帰することを特徴とする請求項１乃至請求項６のいずれか１つに記載の排水栓装置。
【発明の詳細な説明】
【技術分野】
【０００１】
本発明は、洗面ボウルやシンク、浴槽等の槽体の底面に形成された排水口の開閉を行う弁蓋を有する弁体を遠隔的に操作する排水栓装置に関するものである。
【背景技術】
【０００２】
排水栓装置は、操作部に加えた操作を、伝達部材を介して弁体へと伝達し、弁体が排水口を開閉する装置である。
従来の排水栓装置としては、伝達部材が端部にレバー状の機構部を有し、操作部の操作に伴い機構部が変位することにより、機構部上に載置された弁体が上昇又は下降する構造のものが知られている。しかし、当該従来の排水栓装置においては、弁体を取り外した際、機構部が排水口内部に突出した状態となってしまう。従って、当該突出した機構部に毛髪等が引っ掛かり、誤作動が生じたり、不衛生であったりという問題が生じていた。又、突出部分は使用者から視認可能であるため、見栄えが悪くなってしまうが、当該突出部分の清掃は非常に困難であった。
又、従来の排水栓装置としては、弁蓋を直接押動することによって弁蓋を上昇又は下降させる形式のものが知られている。当該排水栓装置においては、弁体内部に機構部としてのロック機構が配置されており、弁体を取り外した際には排水配管内部に突出部分が生じず、清掃性が向上するものである。しかし、当該排水栓装置においては、使用者は弁体を上昇又は下降させる都度弁蓋を直接押動しなければ成らない。従って、下降状態にある弁体を上昇させるためには、湯水が張られた槽体内に手を入れる必要があり、非衛生的であった。
【先行技術文献】
【特許文献】
【０００３】
【特許文献１】特開２０１５−１１３５５６号公報
【特許文献２】特開２０１６−１７３８２号公報
【発明の概要】
【発明が解決しようとする課題】
【０００４】
本発明は上記問題に鑑み、排水栓装置に対する毛髪等の引っ掛かりを防ぐとともに、清掃性を向上させた装置の提供を課題とする。
【０００５】
請求項１に記載の本発明は、排水口の開閉を行う弁蓋を有する弁体と、
弁体の操作を行う操作部と、
一端が操作部に、他端が排水口近傍の配管に接続され、操作部に加えられた排水口側へ操作を伝達する伝達部と、から成る排水栓装置であって、
弁体は、弁蓋を上昇及び／又は下降させる機構部を内部に備え、
伝達部は排水口側端部において作動部を備え、
作動部は、操作部の操作によって変位するとともに、当該変位に基づいて機構部を作動させることを特徴とする排水栓装置である。
【０００６】
請求項２に記載の本発明は、機構部は、弁蓋の上昇状態又は下降状態を保持するロック機構を有することを特徴とする請求項１に記載の排水栓装置である。
【０００７】
請求項３に記載の本発明は、弁体は配管内の所定箇所に載置されるとともに、
弾性体によって弁蓋が上昇状態となるよう常に上方へ向けて付勢されており、
作動部の変位に伴い機構部が押し下げられることを特徴とする請求項１又は請求項２に記載に排水栓装置である。
【０００８】
請求項４に記載の本発明は、機構部は、
作動部の変位に伴い回動するギア部と、
ギア部の回動に伴い上方に向けて突出する突出部から成ることを特徴とする請求項１又は請求項２に記載の排水栓装置である。
【０００９】
請求項５に記載の本発明は、上記弁体は配管内の所定箇所に載置されるとともに、
機構部の作動により弁体の全高を変動させることによって弁蓋が上昇及び／又は下降することを特徴とする請求項１乃至請求項４のいずれか１つに記載の排水栓装置である。
【００１０】
請求項６に記載の本発明は、上記弁体は、弁蓋の裏面に取り付けられる弁軸を有すると共に、
該弁軸は配管内に延設されてなり、上記機構部は、作動により弁軸を伸縮させることを特徴とする請求項１乃至請求項５のいずれか１つに記載の排水栓装置である。
【００１１】
請求項７に記載の本発明は、作動部は、弁蓋を上昇及び／又は下降させた後、
元の状態に復帰することを特徴とする請求項１乃至請求項６のいずれか１つに記載の排水栓装置である。
【発明の効果】
【００１２】
請求項１に記載の本発明によれば、機構部は弁体に組み込まれており、作動部が変位によって機構部を作動させることで弁蓋を昇降させるため、弁体を取り出したとき機構部は排水流路内に無く、排水流路内に突出する部分を限りなく少なくすることが可能となる。従って、排水栓装置に対する毛髪等の引っ掛かりを防ぐとともに、清掃性を向上させることが可能となる。
請求項２、請求項５、請求項６に記載の本発明によれば、機構部によって弁蓋の上昇状態又は下降状態を保持することが可能となる。従って、機構部の作動のために作動部が排水流路内に突出したとしても、機構部の作動後において、作動部が排水流路内に突出し続ける必要がなくなる。従って、作動部を横管部その他の箇所に収納することにより、排水流路を平滑にすることが可能となる。
請求項３に記載の本発明によれば、作動部が機構部を押し下げることにより機構部を作動させるものであるから、当該機構部の作動時に弁体の外れが生じることを防ぐことができる。又、機構部がロック機構を備える場合においては、弁蓋を直接押動することによっても機構部を作動させる構造を採用することが可能となる。この場合においては、使用者は操作部を使用して弁蓋を昇降させるか、直接弁蓋を押動することによって弁蓋を昇降させるかについて適宜選択することが可能となる。又、伝達部等が故障した場合において、弁蓋を押動することによって弁体を単独で排水栓装置として使用することが可能となる。
請求項４に記載の本発明によれば、作動部の突出部はギア部を回動させる程度に突出するのみで良いため、排水配管内部への突出幅を僅かなものとすることができる。
請求項７に記載の本発明によれば、弁蓋の上昇及び／又は下降後に作動部が常にもとの状態に復帰することにより、排水流路内を平滑にすることが可能となる。
【図面の簡単な説明】
【００１３】
【図１】第一実施形態に係る排水栓装置の施工状態を示す断面図である。
【図２】弁体を示す断面図である。
【図３】図１の状態より、作動部が変位し、機構部を作動させた状態を示す断面図である。
【図４】図３の状態より、操作部への操作が終了した状態を示す断面図である。
【図５】第二実施形態に係る排水栓装置の施工状態を示す断面図である。
【図６】弁体を示す断面図である。
【図７】図５の状態より、作動部が変位し、機構部を作動させた状態を示す断面図である。
【図８】図７の状態より、操作部への操作が終了した状態を示す断面図である。
【図９】第三実施形態に係る排水栓装置の施工状態を示す断面図である。
【図１０】弁体を示す断面図である。
【図１１】図９の状態より、作動部が変位し、機構部を作動させた状態を示す断面図である。
【図１２】第四実施形態に係る排水栓装置の施工状態を示す断面図である。
【図１３】図１２のＡ−Ａ’断面図である。
【図１４】図１２のＢ−Ｂ’断面図である。
【図１５】弁体及び作動部を示す分解斜視図である、
【図１６】図１２の状態より、作動部が変位し、機構部を作動させた状態を示す断面図である。
【図１７】その他の実施形態の施工状態を示す断面図である。
【発明を実施するための形態】
【００１４】
以下に、本発明の排水栓装置を、図面を参照しつつ説明する。尚、以下に記載する発明は実施形態の理解を容易にするためのものであり、これによって発明が制限して理解されるものではない。又、以下の実施形態においては、特に断りの無い限り図１に示す状態を基準として上下左右及び部材同士の位置関係を説明する。
【００１５】
図１乃至図４に示す第一実施形態に係る本発明は槽体Ｂとしての洗面ボウルに取り付けられる排水栓装置であり、図１に示すように、弁体６、操作部２０、伝達部２５、作動部２８より構成されている。
【００１６】
槽体Ｂは上方が開口した箱状の洗面ボウルであって、図示しないキャビネット上に載置されている。又、槽体Ｂはその底面に開口を有しており、当該開口には排水栓１が取り付けられている。
【００１７】
排水栓１は内部に排水流路を形成する中空の円筒部材であって、上端から外側に向けて鍔部２が形成されており、下端には下水へと連続する配管４が取り付けられている。鍔部２はパッキンを介して槽体Ｂ底面の開口周縁を挟持することによって取り付けられており、当該取り付け状態において、排水栓１の上端は排水口３として機能し、当該排水口３より槽体Ｂ内部に吐出された湯水や毛髪等が排出される。
【００１８】
図２に示すように、弁体６は排水口３の開閉を行う弁蓋７と、弁蓋７裏面に取り付けられた円筒状の機構部８から構成されている。
弁蓋７は周囲にパッキンが嵌着された止水部材であり、排水栓装置の動作に伴い昇降する。尚、弁蓋７が下降状態にある時、パッキンが排水口３の周縁に当接することにより、槽体Ｂ内部に湯水を貯留可能とするとともに、弁蓋７が上昇状態にある時には、槽体Ｂ内部の湯水を下流側の配管４へと排出させることが可能となる。
【００１９】
機構部８は内筒９と外筒１０から成る弁軸１４であり、内部にロック機構１５を有しており、機構部８が作動した際には内筒９が外筒１０より突出するようにして弁軸１４が伸張する、又は内筒９が外筒１０内に収納されて弁軸１４が収縮する。又、当該弁軸１４の伸縮状態はロック機構１５によって保持される。即ち、機構部８は弁軸１４の伸縮により弁体６の全高を変動させるとともに、ロック機構１５によって当該変動した弁体６の全高を保持することができる。
内筒９は上端が弁蓋７の裏面に対して着脱可能に嵌合されており、その下端は外筒１０下方に形成された窓部１３より露出されている。又、内筒９は外筒１０の内部において、回転ギア１６が回動可能に取り付けられているとともに、弾性体である弁内スプリング１９によって下方に向けて付勢されている。
外筒１０は上端及び下端に網目状に形成された塵芥補足用の目皿１２を備えており、上端側の目皿１２は排水栓１の上方に形成された段部に載置されている。外筒１０は内部に回転ギア１６、固定ギア１７、及び噛合部１８を備えている。尚、外筒１０は下端側の目皿１２の上方において切り欠き状の窓部１３が開口されており、当該窓部１３から露出された内筒９を動かすことによって機構部８を作動させることが可能となっている。
【００２０】
ロック機構１５は内筒９と、内筒９に対して回動自在に取り付けられた回転ギア１６と、外筒１０内部に形成された固定ギア１７、及び噛合部１８から成る。
固定ギア１７は外筒１０の内周に亘って環状に形成された、回転ギア１６を回転させる鋸刃状のギア部である。
噛合部１８は固定ギア１７と対向する位置に形成され、固定ギア１７によって回転した回転ギア１６が噛合する噛合歯を備えている。
上記ロック機構１５は、内筒９が押し上げられた際に回転ギア１６が固定ギア１７に押し付けられることで回転するとともに、当該回転した回転ギア１６が弁内スプリング１９の反発によって押し下げられた際に噛合部１８が噛み合うことで内筒９の上昇状態を保持する構造となっている。尚、再び内筒９が押し上げられた際には当該回転ギア１６が固定ギア１７によって再び回転し、噛合部１８との噛み合いが解除されることで、内筒９は弁内スプリング１９の作用、及び弁蓋７の自重によって下降状態へと復帰する。
【００２１】
尚、本実施形態において、ロック機構１５は内筒９を下方へ向けて付勢する弁内スプリング１９が配置されているが、当該弁内スプリング１９を省略し、弁蓋７の自重のみによって下降するように構成しても良い。
【００２２】
操作部２０は使用者によって直接操作が加えられる押動部２１を有し、フランジ部材２３によって槽体Ｂの縁部に保持されている。押動部２１は下方に向けて操作軸２２が延設されているとともに、フランジ部材２３内に配置された戻りスプリング２４によって常に上方へ向けて付勢されている。操作軸２２下端にはインナーワイヤ２７が接続されており、押動部２１の変位をインナーワイヤ２７へと伝達する。
【００２３】
伝達部２５はアウターチューブ２６及びインナーワイヤ２７から成り、軸方向に対して剛性を有するとともに、その他の方向に対して可撓性を有するレリースワイヤである。伝達部２５はその一端が操作部２０に接続されており、他端が配管４の横管部５に取り付けられているとともに、配管４側端部において、作動部２８が接続されている。
アウターチューブ２６は中空の樹脂製のチューブ体であり、一端がフランジ部材２３に固定され、他端が配管４に固定されている。又、アウターチューブ２６は内部にインナーワイヤ２７が摺動可能に配置されている。
インナーワイヤ２７は金属製の撚り線であり、一端が操作軸２２に接続されており、操作軸２２と連動してアウターチューブ２６内を摺動可能となっているとともに、他端には作動部２８が接続されている。従って、インナーワイヤ２７は操作部２０への操作によって押動部２１が下降した際、アウターチューブ２６内を排水口３側へ向けて摺動するとともに、押動部２１が上昇した際には、アウターチューブ２６内を操作部２０側へ向けて摺動する。（以降、インナーワイヤ２７が排水口３側へと摺動する際には「前進」、操作部２０側へと摺動する際には「後退」とする。）
【００２４】
作動部２８はインナーワイヤ２７の端部に接続されているとともに、配管４の横管部５内に配置され、当該横管部５内を水平方向に摺動可能となっている。又、作動部２８は上面に傾斜面２９を有しており、図１に示すように、横管部５内に収納されている状態において、前記窓部１３と略同一高さとなるように配置されている。
上記作動部２８は操作部２０に対して操作が加えられていない状態において、その端部が配管４の内部（排水流路内）には突出しておらず、全て横管部５内に収納されている。
【００２５】
ここで、上記インナーワイヤ２７、作動部２８は押動部２１と連結されていることから、フランジ部材２３の内部に配置された戻りスプリング２４によって、常に後退する方向に向けて付勢されている。
【００２６】
上記各部材から成る排水栓装置の動作は以下の通りである。
【００２７】
図１に示すように、弁蓋７が下降している状態より、使用者によって押動部２１が押し下げられると、押動部２１の下降に伴い操作軸２２が下降し、インナーワイヤ２７がアウターチューブ２６内を前進する。そして、インナーワイヤ２７の前進によって作動部２８が変位し、横管部５より配管４内に突出する。
そして、図３に示すように、突出した作動部２８が窓部１３内に挿入されることにより機構部８を作動させる。即ち、当該作動部２８が窓部１３内に挿入されることにより傾斜面２９と内筒９下端が当接し、更に作動部２８が挿入されることによって傾斜面２９が内筒９を押し上げる。そして、内筒９が外筒１０より上方に向けて突出し弁軸１４が伸張することにより、弁蓋７を上昇させる。この時、作動部２８の下面が弁体６の下端側の目皿１２の上面と当接しているため、弁蓋７のみが上昇し、弁体６が排水栓１より弁体６が外れることを防いでいる。
【００２８】
図４に示すように、操作部２０（押動部２１）への操作が終了すると、戻りスプリング２４によって押動部２１は再び上昇するとともに、インナーワイヤ２７が後退し、作動部２８は横管部５内に収納される。即ち、操作部２０の各部材は操作終了時において元の位置に復帰し、配管４の内部には突出しない。
【００２９】
この時、機構部８の作動に伴い機構部８内に配置されたロック機構１５が以下のように作動し、弁蓋７の上昇状態が保持される。
まず、押動部２１への操作に伴う内筒９の押し上げによって回転ギア１６が固定ギア１７に押し付けられ、回転ギア１６が所定角度回動する。押動部２１への操作が終了すると、機構部８内の弁内スプリング１９及び自重により内筒９が下降する。この時、回転ギア１６は外筒１０の下方に設けられた噛合部１８と噛み合い、内筒９の突出状態（弁蓋７の上昇状態）が保持される。
【００３０】
上記弁蓋７の上昇状態より、使用者によって更に押動部２１が押し下げられると、再び作動部２８が変位し、横管部５より配管内に突出することで、機構部８及びロック機構１５を作動させる。即ち、作動部２８が内筒９を押し上げることで回転ギア１６と噛合部１８の噛み合いが解除され、内筒９は弁内スプリング１９の反発及び弁蓋７の自重によって下降状態へと復帰する。尚、前述の通り、押動部２１への操作が終了すると作動部２８は横管部５内に収納されることから、下降した内筒９が作動部２８と干渉することはない。
【００３１】
上記第一実施形態においては、機構部８は弾性体である弁内スプリング１９又は自重によって弁蓋７が下降状態となるよう常に下方へ向けて付勢されており、作動部２８の変位に伴い内筒９が押し上げられることで機構部８が作動する構造となっている。尚、機構部８作動時には弁軸１４が伸張又は収縮することで弁体６の全高を変動させ、弁蓋７を上昇又は下降させる構造となっている。又、戻りスプリング２４によって作動部２８は後退方向に付勢されており、非操作時には常に作動部２８が全て横管部５内に収納される。
従って、清掃時等に使用者が弁体６を取り外した際、常に排水流路内に突出する部分が存在せず、毛髪等の引っ掛かりを防ぐとともに清掃性が向上する。即ち、本発明において、作動部２８はあくまで機構部８を作動させるに留まるものであるため、作動部２８は排水流路内に突出し続ける必要がなく、横管部５内に収納することで配管４の内面を平滑にすることができる。
【００３２】
尚、上記実施形態においては、外筒１０の上端側の目皿１２が排水栓１内部に形成された段部に載置されているが、下端側の目皿１２が段部に載置されていても良い。
【００３３】
次に、図５乃至図８を使用して、本発明の第二実施形態を説明する。
【００３４】
第二実施形態に係る本発明は槽体Ｂとしての洗面ボウルに取り付けられる排水栓装置であり、図２に示すように、弁体６、操作部２０、伝達部２５、作動部２８より構成されている。
【００３５】
槽体Ｂは上方が開口した箱状の洗面ボウルであって、図示しないキャビネット上に載置されている。又、槽体Ｂはその底面に開口を有しており、当該開口には排水栓１が取り付けられている。
【００３６】
排水栓１は内部に排水流路を形成する中空の円筒部材であって、上端から外側に向けて鍔部２が形成されており、下端には下水へと連続する配管４が取り付けられている。鍔部２はパッキンを介して槽体Ｂ底面の開口周縁を挟持することによって取り付けられており、当該取り付け状態において、排水栓１の上端は排水口３として機能し、当該排水口３より槽体Ｂ内部に吐出された湯水や毛髪等が排出される。
【００３７】
図６に示すように、弁体６は排水口３の開閉を行う弁蓋７と、弁蓋７裏面に取り付けられた円筒状の機構部８から構成されている。
弁蓋７は周囲にパッキンが嵌着された止水部材であり、排水栓装置の動作に伴い昇降する。尚、弁蓋７が下降状態にある時、パッキンが排水口３の周縁に当接することにより、槽体Ｂ内部に湯水を貯留可能とするとともに、弁蓋７が上昇状態にある時には、槽体Ｂ内部の湯水を下流側の配管４へと排出させることが可能となる。
【００３８】
機構部８は内筒９と外筒１０から成る弁軸１４であり、内部にロック機構１５を有しており、機構部８が作動した際には内筒９が昇降する。
内筒９は外筒１０を上下方向に貫通し、その上端が弁蓋７の裏面に対して着脱可能に嵌合されており、下端には目皿１２が取り付けられている。又、内筒９は外筒１０の内部において、回転ギア１６が取り付けられているとともに弾性体である弁内スプリング１９によって上方に向けて付勢されている。
外筒１０は上端に網目状に形成された塵芥補足用の目皿１２を備えており、内部に回転ギア１６、固定ギア１７、及び噛合部１８を備えている。
【００３９】
ロック機構１５は内筒９と、内筒９に対して回動自在に取り付けられた回転ギア１６と、外筒１０内部に形成された固定ギア１７及び噛合部１８から成る。
固定ギア１７は外筒１０の内周に亘って環状に形成された、回転ギア１６を回転させる鋸刃状の傾斜歯である。
噛合部１８は固定ギア１７と対向する位置に形成され、固定ギア１７によって回転した回転ギア１６が噛合する噛合歯を備えている。
上記ロック機構１５は内筒９が押し下げられた際に回転ギア１６が固定ギア１７に押し付けられることで回転するとともに、当該回転した回転ギア１６が弁内スプリング１９の反発によって押し上げられた際に噛合部１８が噛み合うことで内筒９の下降状態を保持する構造となっている。尚、再び内筒９が押し下げられた際には当該回転ギア１６が固定ギア１７によって再び回転し、噛合部１８との噛み合いが解除されることで、内筒９は弁内スプリング１９の作用によって上昇状態へと復帰する。
【００４０】
操作部２０は使用者によって直接操作が加えられる押動部２１を有し、フランジ部材２３によって槽体Ｂの縁部に保持されている。押動部２１は下方に向けて操作軸２２が延設されているとともに、フランジ部材２３内に配置された戻りスプリング２４によって常に上方へ向けて付勢されている。操作軸２２下端にはインナーワイヤ２７が接続されており、押動部２１の変位をインナーワイヤ２７へと伝達する。
【００４１】
伝達部２５はアウターチューブ２６及びインナーワイヤ２７から成り、軸方向に対して剛性を有するとともに、その他の方向に対して可撓性を有するレリースワイヤである。伝達部２５はその一端が操作部２０に接続されており、他端が配管４の横管部５に取り付けられているとともに、配管４側端部において、作動部２８が接続されている。
アウターチューブ２６は中空の樹脂製のチューブ体であり、一端がフランジ部材２３に固定され、他端が配管４に固定されている。又、アウターチューブ２６は内部にインナーワイヤ２７が摺動可能に配置されている。
インナーワイヤ２７は金属製の撚り線であり、一端が操作軸２２に接続されており、操作軸２２と連動してアウターチューブ２６内を摺動可能となっているとともに、他端には作動部２８が接続されている。従って、インナーワイヤ２７は操作部２０への操作によって押動部２１が下降した際、アウターチューブ２６内を排水口３側へ向けて摺動するとともに、押動部２１が上昇した際には、アウターチューブ２６内を操作部２０側へ向けて摺動する。（以降、インナーワイヤ２７が排水口３側へと摺動する際には「前進」、操作部２０側へと摺動する際には「後退」とする。）
【００４２】
作動部２８はインナーワイヤ２７の端部に接続されているとともに、配管４の横管部５内に配置され、当該横管部５内を水平方向に摺動可能となっている。又、作動部２８は下面に傾斜面２９を有しており、図５に示すように、横管部５内に収納されている状態において、弁体６下端の目皿１２と略同一高さとなるように配置されている。
上記作動部２８は操作部２０に対して操作が加えられていない状態において、その端部が配管４の内部（排水流路内）には突出しておらず、全て横管部５内に収納されている。
【００４３】
ここで、上記インナーワイヤ２７、作動部２８は押動部２１と連結されていることから、フランジ部材２３の内部に配置された戻りスプリング２４によって、常に後退する方向に向けて付勢されている。
【００４４】
上記各部材から成る排水栓装置の動作は以下の通りである。
【００４５】
図５に示すように、弁蓋７が上昇している状態より、使用者によって押動部２１が押し下げられると、押動部２１の下降に伴い操作部２０が下降し、インナーワイヤ２７がアウターチューブ２６内を前進する。そして、インナーワイヤ２７の前進によって作動部２８が変位し、横管部５より配管４内に突出する。
そして、図７に示すように、突出した作動部２８の傾斜面２９が弁体６下端の目皿１２と当接することにより機構部８を作動させる。即ち、作動部２８によって内筒９が押し下げられ、弁蓋７を下降させる。
【００４６】
図８に示すように、操作部２０（押動部２１）への操作が終了すると、戻りスプリング２４によって押動部２１は再び上昇するとともに、インナーワイヤ２７が後退し、作動部２８は横管部５内に収納される。即ち、操作部２０の各部材は操作終了時において元の位置に復帰し、配管４の内部には突出しない。
【００４７】
この時、機構部８の作動に伴いロック機構１５が以下のように作動し、弁蓋７の下降状態が保持される。
まず、押動部２１への操作に伴う内筒９の押し下げによって回転ギア１６が固定ギア１７に押し付けられ、回転ギア１６が所定角度回転する。押動部２１への操作が終了すると、機構部８内の弁内スプリング１９によって内筒９が上昇する。この時、回転ギア１６が外筒１０の上方に設けられた噛合部１８と噛み合い、内筒９の下降状態（弁蓋７の上昇状態）が保持される。
【００４８】
上記弁蓋７の下降状態より、使用者によって更に押動部２１が押し下げられると、再び作動部２８が変位し、横管部５より配管内に突出することで、機構部８を作動させる。即ち、作動部２８が内筒９を押し下げることで回転ギア１６と噛合部１８の噛み合いが解除され、内筒９は弁内スプリング１９の反発によって上昇状態へと復帰する。尚、前述の通り、押動部２１への操作が終了すると作動部２８は横管部５内に収納されることから、上昇した弁体６下方の目皿１２が作動部２８と干渉することはない。
【００４９】
上記第二実施形態において、機構部８は弾性体である弁内スプリング１９によって弁蓋７が上昇状態となるよう常に上方へ向けて付勢されており、作動部２８の変位に伴い内筒９が押し下げられることで機構部８が作動する構造となっている。尚、機構部８作動時には内筒９が外筒１０に対して下降又は上昇することで弁蓋７を上昇又は下降させる構造となっている。又、戻りスプリング２４によって作動部２８は後退方向に付勢されており、非操作時には常に作動部２８が全て横管部５内に収納される。
従って、清掃時等に使用者が弁体６を取り外した際、常に排水流路内に突出する部分が存在せず、毛髪等の引っ掛かりを防ぐとともに清掃性が向上する。即ち、本発明において、作動部２８はあくまで機構部８を作動させるに留まるものであるため、作動部２８は排水流路内に突出し続ける必要がなく、横管部５内に収納することで配管４の内面を平滑にすることができる。
【００５０】
尚、上記第二実施形態においては、弁蓋７を直接押動することによっても機構部８を作動させることが可能である。従って、第二実施形態の排水栓装置は操作部２０を介して弁蓋７を昇降させても良く、直接弁蓋７を押動することによって昇降させても良いものであって、使用者が好みの操作方法を選択することができる。又、上述の通り、第二実施形態に係る排水栓装置は弁蓋７を直接押動することによっても操作が可能であることから、操作部２０や伝達部２５が故障した場合、弁体６を単独で排水栓装置として使用することが可能となる。
【００５１】
尚、上記第二実施形態においては、弁体６の内部に配置された機構部８は回転ギア１６等より成るロック機構を有していたが、図９乃至図１１に示す第三実施形態のように、機構部８がその他の構造によるロック機構１５であっても良いものである。以下に記載する第三実施形態においては、第二実施形態と異なる部分のみを説明し、その他の部分については第二実施形態と同一の符号を付すことにより説明を省略する。
【００５２】
第三実施形態における操作部２０は戻り弁内スプリング１９を備えていない。従って、押動部２１に対して引き上げ操作を行わない限りにおいて、作動部２８は配管４の内部に突出したままの状態となる。
【００５３】
図１０に示すように、機構部８は内筒９と外筒１０から成る弁軸１４であり、内部に弁内スプリング１９を備えている。尚、当該弁内スプリング１９は作動部２８が作動していない状態において、常に内筒９を上方へ向けて付勢している。  
【００５４】
上記第三実施形態においては、使用者によって押動部２１が押し下げられると、作動部２８が変位し、横管部５より配管４内に突出するとともに、傾斜面２９が弁体６下端の目皿１２と当接し、内筒９を押し下げる。そして、内筒９が下降することにより、弁蓋７を下降させる。
ここで、図１１に示すように、押動部２１への操作が終了すると、作動部２８は目皿１２上にて変位を終了し、作動部２８下面が弁体６下端の目皿１２を押し下げた状態のままとなる。従って、弁蓋７は下降状態のまま保持され、排水口３の閉塞状態が維持される。即ち、第三実施形態においては、弁内スプリング１９と作動部２８の下面によってロック機構１５が形成されている。
【００５５】
この時、作動部２８によって弁体６が押圧されているため、使用者は弁体６を取り外すことはできない。
【００５６】
そして、使用者によって押動部２１が引き上げられると、再び作動部２８が変位し、横管部５内部に収納される。そして、作動部２８が目皿１２上から移動することにより、弁軸１４は弁内スプリング１９の反発によって上昇状態へと復帰する。
【００５７】
上記第三実施形態においては、ロック機構１５が回転ギア等を必要としないことから、内部の構造を簡素化することが可能となる。又、上述の通り、弁蓋７が下降状態にある時、作動部２８は配管４の内部に突出しているが、弁体６は作動部２８によって押圧されているため、使用者は弁体６を取り外すことはできない。一方、使用者が弁体６を取り外すことができる状態、即ち、弁蓋７が上昇状態にある時において、作動部２８は配管４内部に突出していない。従って、使用者が配管４内部を視認する際、配管４内は常に何も突出しておらず、意匠性に優れるとともに、清掃性が向上する。又、作動部２８が突出している時は、常に弁蓋７によって排水口３が閉塞されている状態となることから、作動部２８に毛髪等が引っ掛かる恐れはない。
【００５８】
次に、図１２乃至図１６を使用して、本発明の第四実施形態について説明する。
【００５９】
第四実施形態に係る本発明は槽体Ｂとしての洗面ボウルに取り付けられる排水栓装置であり、図１２に示すように、弁体６、操作部２０、伝達部２５、作動部２８より構成されている。
【００６０】
槽体Ｂは上方が開口した箱状の洗面ボウルであって、図示しないキャビネット上に載置されている。又、槽体Ｂはその底面に開口を有しており、当該開口には排水栓１が取り付けられている。
【００６１】
排水栓１は内部に排水流路を形成する中空の円筒部材であって、上端から外側に向けて鍔部２が形成されており、下端には下水へと連続する配管４が取り付けられている。鍔部２はパッキンを介して槽体Ｂ底面の開口周縁を挟持することによって取り付けられており、当該取り付け状態において、排水栓１の上端は排水口３として機能し、当該排水口３より槽体Ｂ内部に吐出された湯水や毛髪等が排出される。
【００６２】
弁体６は排水口３の開閉を行う弁蓋７と、弁蓋７裏面に取り付けられた円筒状の機構部８から構成されている。
弁蓋７は周囲にパッキンが嵌着された止水部材であり、排水栓装置の動作に伴い昇降する。尚、弁蓋７が下降状態にある時、パッキンが排水口３の周縁に当接することにより、槽体Ｂ内部に湯水を貯留可能とするとともに、弁蓋７が上昇状態にある時には、槽体Ｂ内部の湯水を下流側の配管４へと排出させることが可能となる。
【００６３】
機構部８は内筒９と外筒１０から成る弁軸１４であり、機構部８が作動した際には内筒９が外筒１０より突出するようにして伸張する、又は外筒１０内に収納されて収縮することにより弁体６の全高を変動させる。
内筒９は螺子筒３２及び突出部３５から構成され、外筒１０の内部に配置されている。
螺子筒３２は突出部３５内に配置される筒状部分と、下端に形成された歯車状のギア部３３を有している。筒状部分には螺旋状の溝部３４が形成されており、凸部３６が当該溝部３４内を摺動可能となっている。ここで、螺子筒３２の筒状部分は外筒１０を貫通しており、ギア部３３は外筒１０の下端よりも更に下方において露出しているとともに、作動部２８と噛合している。
突出部３５は外筒１０内において、軸方向にのみ進退可能となるよう配置されており、ギア部３３の回動に伴い上方に向けて突出する又、突出部３５は内部に螺子筒３２の溝部３４内に配置される凸部３６を備えている。
外筒１０は内部に上記内筒９を収納する部材であり、排水栓１に対して回動不能となるように取り付けられている。
【００６４】
操作部２０は使用者によって直接操作が加えられる押動部２１を有し、フランジ部材２３によって槽体Ｂの縁部に保持されている。押動部２１は下方に向けて操作軸２２が延設されているとともに、操作軸２２下端にはインナーワイヤ２７が接続されており、押動部２１の変位をインナーワイヤ２７へと伝達する。
【００６５】
伝達部２５はアウターチューブ２６及びインナーワイヤ２７から成り、軸方向に対して剛性を有するとともに、その他の方向に対して可撓性を有するレリースワイヤである。伝達部２５はその一端が操作部２０に接続されており、他端が配管４の横管部５に取り付けられているとともに、配管４側端部において、作動部２８が接続されている。
アウターチューブ２６は樹脂製のチューブ体であり、一端がフランジ部材２３に固定され、他端が配管４に固定されている。又、アウターチューブ２６は内部にインナーワイヤ２７が摺動可能に配置されている。
インナーワイヤ２７は金属製の撚り線であり、一端が操作軸２２に接続されており、操作軸２２と連動してアウターチューブ２６内を摺動可能となっているとともに、他端には作動部２８が接続されている。従って、インナーワイヤ２７は操作部２０への操作によって押動部２１が下降した際、アウターチューブ２６内を排水口３側へ向けて摺動するとともに、押動部２１が上昇した際には、アウターチューブ２６内を操作部２０側へ向けて摺動する。（以降、インナーワイヤ２７が排水口３側へと摺動する際には「前進」、操作部２０側へと摺動する際には「後退」とする。）
【００６６】
作動部２８はギア部３３と噛合する歯を備えた棒状のラックであって、インナーワイヤ２７の端部に接続されているとともに、配管４の横管部５内に配置され、当該横管部５内を水平方向に摺動可能となっている。又、図１３に示すように、作動部２８は横管部５内に収納されている状態において、配管４に形成された切り欠きからその一部が露出しており、ギア部３３と噛合している。
上記作動部２８は歯のみが配管４の内部（排水流路内）に突出しており、その他の部分は全て横管部５内に収納されている。尚、図１４に示すように、弁体６が排水栓１内に配置された状態において、窓部１３から露出したギア部３３と作動部２８は噛合した状態となっており、作動部２８の変位に応じてギア部３３が回動するよう構成されている。
【００６７】
上記各部材から成る排水栓装置の動作は以下の通りである。
【００６８】
図１２に示すように、弁蓋７が下降している状態より、使用者によって押動部２１が押し下げられると、押動部２１の下降に伴い操作軸２２が下降し、インナーワイヤ２７がアウターチューブ２６内を前進する。そして、インナーワイヤ２７の前進によって作動部２８が変位し、ギア部３３を回動させるとともに、当該ギア部３３の回動に伴い、螺子筒３２の筒状部分に形成された溝部３４も回動する。
この時、溝部３４内に配置された凸部３６は溝部３４の回動に伴い回動しようとするが、突出部３５は回動不能であるため、ギア部３３の回動に伴い凸部３６が溝部３４内を摺動することによって、突出部３５を軸方向に上昇させる。即ち、作動部２８の変位に基づいて突出部３５が螺子筒３２及び外筒１０より上方に向けて突出し、図１６に示すように、弁軸１４が伸張する（弁体６の全高が変動する）ことにより、弁蓋７を上昇させるとともに、突出部３５（内筒９）の突出状態（弁蓋７の上昇状態）が保持される。
【００６９】
上記弁蓋７の上昇状態より、使用者によって押動部２１が引き上げられると、再び作動部２８が変位し、ギア部３３を逆方向に回転させる。この時、溝部３４内に配置された凸部３６が溝部３４内を摺動することによって、突出部３５を下降させる。
【００７０】
上記第四実施形態においては、弁体６を取り外した際、配管４の内部には作動部２８の歯のみが突出し、その他の部分は一切突出していない。従って、大きく排水流路内に突出する部分が存在せず、毛髪等の引っ掛かりを防ぐとともに清掃性が向上する。即ち、本発明において、作動部２８はあくまで機構部８を作動させるに留まるものであるため、作動部２８は大きく排水流路内に突出する必要が無く、最低限の突出量に抑えることで配管４の内面を平滑にすることができる。
【００７１】
また、上記第四実施形態においては、作動部２８が弁体６と上下方向には干渉しない構造のため、作動部２８の作動中を含む、いかなる状態であっても、排水口３から弁体６を取り外すことができる。
【００７２】
本発明の実施形態は以上であるが、本発明は上記各実施形態の形状に限られるものではなく、発明の要旨を逸脱しない範囲において適宜設計変更等を行うことが可能である。
例えば、第一実施形態においては、作動部２８が直接内筒９を押し上げる構造であったが、図１７に示すように、作動部２８が弁体６下端に形成された駆動部３７に当接することによって水平方向の応力が垂直方向の応力へと変換され、内筒９が押し上げられても良い。
又、第四実施形態においては回転ギア等から成るロック機構を備えても良い。この場合においては、螺子筒３２が回動することロック機構が弁体６の昇降状態を保持する構造とし、作動部２８や押動部２１は戻りスプリング２４によって常に元の状態に復帰するよう構成しても良い。
【００７３】
又、本発明の排水栓装置は洗面ボウルの排水口を開閉するものに限られるものではなく、例えばシンク、浴槽等の排水口を開閉させるものであっても良い。
【００７４】
上記各実施形態においては、作動部は全て水平方向に変位し、これを受けて弁体に組み込まれた機構部が上下方向に弁蓋を昇降させる構造である。本発明は必ずしもこのような水平方向に動作する作動部・上下方向に動作する機構部、という構成に限定されるものではないが、このように構成することで、作動部を備えた配管を、上下方向に直線状とすることができ、清掃性を向上させることができる。
【００７５】
また、本発明においては、必要に応じて一部部材に切り欠きを設ける等によって、上記第四実施形態のように、作動部の作動中を含む、いかなる状態であっても、排水口から弁体を取り外すことができる構成としても良い。
【符号の説明】
【００７６】
Ｂ        槽体
１        排水栓
２        鍔部
３        排水口
４        配管
５        横管部
６        弁体
７        弁蓋
８        機構部
９        内筒
１０        外筒
１２        目皿
１３        窓部
１４        弁軸
１５        ロック機構
１６        回転ギア
１７        固定ギア
１８        噛合部
１９        弁内スプリング
２０        操作部
２１        押動部
２２        操作軸
２３        フランジ部材
２４        戻りスプリング
２５        伝達部
２６        アウターチューブ
２７        インナーワイヤ
２８        作動部
２９        傾斜面
３２        螺子筒
３３        ギア部
３４        溝部
３５        突出部
３６        凸部
３７        駆動部
【図１】
2017227093.tif 000003
【図２】
2017227093.tif 000004
【図３】
2017227093.tif 000005
【図４】
2017227093.tif 000006
【図５】
2017227093.tif 000007
【図６】
2017227093.tif 000008
【図７】
2017227093.tif 000009
【図８】
2017227093.tif 000010
【図９】
2017227093.tif 000011
【図１０】
2017227093.tif 000012
【図１１】
2017227093.tif 000013
【図１２】
2017227093.tif 000014
【図１３】
2017227093.tif 000015
【図１４】
2017227093.tif 000016
【図１５】
2017227093.tif 000017
【図１６】
2017227093.tif 000018
【図１７】
2017227093.tif 000019